(57)【要約】【課題】パソコン等の外部機器を準備しなければ、電話機間で電話帳データを転送登録することができない。【解決手段】名称データ及び電話番号データを含む電話帳データを記憶する記憶手段２４と、記憶中の電話帳データに基づいて通話接続する制御手段２５とを有する電話機１０であって、他の電話機との間で電話帳データを相互に転送可能とする転送インタフェース手段２３と、電話帳データ転送登録モードにするように要求する入力手段１３とを有し、制御手段は、入力手段からの要求に応じて電話帳データ転送登録モードを設定するモード設定手段２５Ｄと、電話帳データ転送登録モードに設定すると、転送インタフェース手段を起動し、この転送インタフェース手段を通じて得た他の電話機からの電話帳データを記憶手段に登録可能とするデータ通信手段２５Ａ及び登録制御手段２５Ｃとを有している。【選択図】  図３
2004180016.tif 000002
【特許請求の範囲】
【請求項１】
名称データ及び、この名称データに対応した電話番号データを含む電話帳データを記憶する記憶手段と、この記憶手段に記憶されている電話帳データに基づいて通話接続する制御手段とを有する電話機であって、
他の電話機との間で電話帳データを相互に転送可能とする転送インタフェース手段と、
前記他の電話機との間で電話帳データを転送可能とする電話帳データ転送登録モードにするように要求するモード設定要求手段とを有し、
前記制御手段は、
前記モード設定要求手段からの要求に応じて前記電話帳データ転送登録モードを設定するモード設定手段と、
このモード設定手段にて前記電話帳データ転送登録モードに設定すると、前記転送インタフェース手段を起動し、この転送インタフェース手段を通じて得た前記他の電話機からの電話帳データを前記記憶手段に登録可能とする電話帳設定手段とを有することを特徴とする電話機。
【請求項２】
前記制御手段は、
前記電話帳データ転送登録モード中においては前記転送インタフェース手段を通じて前記電話番号データ単位で前記他の電話機からの電話帳データを受信可能とするデータ通信手段と、
このデータ通信手段にて受信した電話帳データを電話番号データ単位で表示する表示制御手段と、
所定の登録操作に応じて、前記表示中の電話番号データを前記記憶手段に登録する登録制御手段とを有することを特徴とする請求項１記載の電話機。
【請求項３】
前記制御手段は、
前記電話帳データ転送登録モード中に着信を検出すると、この電話帳データ転送登録モードの設定を解除することを特徴とする請求項１又は２記載の電話機。
【請求項４】
前記制御手段は、
前記電話帳データ転送登録モード中で、かつ電話番号データを表示中に、所定の発信操作を検出すると、この電話帳データ転送登録モードの設定を解除し、この表示中の電話番号データに基づく発信動作を実行することを特徴とする請求項２又は３記載の電話機。
【請求項５】
前記転送インタフェース手段は、
前記他の電話機とケーブル接続することで、前記電話帳データを相互に転送可能とすることを特徴とする請求項１，２，３又は４記載の電話機。
【請求項６】
前記転送インタフェース手段は、
前記他の電話機と無線通信接続することで、前記電話帳データを相互に転送可能とすることを特徴とする請求項１，２，３又は４記載の電話機。
【請求項７】
前記転送インタフェース手段は、
前記他の電話機と光通信接続することで、前記電話帳データを相互に転送可能とすることを特徴とする請求項１，２，３又は４記載の電話機。
【請求項８】
名称データ及び、この名称データに対応した電話番号データを含む電話帳データを記憶する記憶手段と、この記憶手段に記憶されている電話帳データに基づいて通話接続する制御手段とを有する電話機であって、
他の電話機との間で電話帳データを相互に転送可能とする転送インタフェース手段と、
前記他の電話機との間で電話帳データを転送可能とする電話帳データ転送登録モードにするように要求するモード設定要求手段とを有し、
前記制御手段は、
前記モード設定要求手段からの要求に応じて前記電話帳データ転送登録モードを設定するモード設定手段と、
このモード設定手段にて前記電話帳データ転送登録モードに設定すると、前記転送インタフェース手段を起動し、この転送インタフェース手段を通じて得た前記他の電話機からの電話帳データを前記記憶手段に登録可能とし、若しくは、前記記憶手段に記憶されている電話帳データを、前記転送インタフェース手段を通じて前記他の電話機に転送する電話帳送受信手段とを有することを特徴とする電話機。
【発明の詳細な説明】
【０００１】
【発明の属する技術分野】
本発明は、電話機間で電話帳データを転送し、その電話帳データを登録可能とする機能を備えた電話機に関する。
【０００２】
【従来の技術】
一般的な電話機、例えば携帯電話機においては、名称及び、この名称に対応した電話番号で構成する電話番号データを電話帳データとして予め登録しておき、この電話帳データから発信相手の名称を選択操作することで、この名称に対応する電話番号への発信動作を行うことができる電話帳機能が広く知られている。
【０００３】
このような電話帳機能は、携帯電話機だけでなく、固定電話機等の様々な電話機にも活用されているの現状である。
【０００４】
このような電話帳機能の活用に伴って、例えば携帯電話機の機種変更等のように、現在の携帯電話機に登録した電話帳データを新しい携帯電話機に登録したいといった要望があり、次のようにパソコン等の情報端末装置を使用することで、この要望に対処している。
【０００５】
パソコンは、現在の携帯電話機とケーブル接続することで、この携帯電話機とのデータ通信を確立し、この携帯電話機内部に登録した電話帳データを読み出し、この電話帳データをパソコン内部のハードディスクに記録する（例えば特許文献１参照）。
【０００６】
さらにパソコンは、新しい携帯電話機とケーブル接続することで、新しい携帯電話機とのデータ通信を確立し、このハードディスクに記録した電話帳データを、新しい携帯電話機に登録するようにしている。
【０００７】
このような方法によれば、パソコンを使用することで、携帯電話機に登録済みの電話帳データを携帯電話機間で転送登録することができる。
【０００８】
【特許文献１】
特開２００２−１７６４８４号公報（第１図乃至第４図）
【０００９】
【発明が解決しようとする課題】
しかしながら、上記従来の電話帳データ転送登録機能を備えた電話機によれば、現在の携帯電話機からの電話帳データをパソコンに一時的に取り込み、この電話帳データを新しい携帯電話機に転送登録するようにしたが、電話機間で電話帳データを転送登録するのにはパソコンが必要である。
【００１０】
また、このような従来の電話帳データ転送登録機能を備えた電話機によれば、携帯電話機やＰＨＳ等についてはパソコン等の外部機器を使用することで電話帳データを転送することができるが、電話帳データ転送登録機能を備えた固定電話機については未だ提案されていない。
【００１１】
本発明は上記点に鑑みてなされたものであり、その目的とするところは、パソコン等の外部機器を設けなくても、電話機間で電話帳データを編集しながら転送登録することができる電話機を提供することにある。
【００１２】
さらに、その目的とするところは、固定電話機においても電話帳データ転送登録機能を実現した電話機を提供することにある。
【００１３】
【課題を解決するための手段】
上記目的を達成するために本発明の電話機は、名称データ及び、この名称データに対応した電話番号データを含む電話帳データを記憶する記憶手段と、この記憶手段に記憶されている電話帳データに基づいて通話接続する制御手段とを有する電話機であって、他の電話機との間で電話帳データを相互に転送可能とする転送インタフェース手段と、前記他の電話機との間で電話帳データを転送可能とする電話帳データ転送登録モードにするように要求するモード設定要求手段とを有し、前記制御手段は、前記モード設定要求手段からの要求に応じて前記電話帳データ転送登録モードを設定するモード設定手段と、このモード設定手段にて前記電話帳データ転送登録モードに設定すると、前記転送インタフェース手段を起動し、この転送インタフェース手段を通じて得た前記他の電話機からの電話帳データを前記記憶手段に登録可能とする電話帳設定手段とを有するようにした。
【００１４】
従って、本発明の電話機によれば、他の電話機との間で電話帳データを相互に転送可能とする転送インタフェース手段と、前記他の電話機との間で電話帳データを転送可能とする電話帳データ転送登録モードにするように要求するモード設定要求手段とを有し、このモード設定要求手段からの要求に応じて前記電話帳データ転送登録モードに設定すると、前記転送インタフェース手段を起動し、この転送インタフェース手段を通じて得た前記他の電話機からの電話帳データを前記記憶手段に登録可能としたので、この電話帳データ転送登録モードを使用することで、パソコン等の外部機器を設けなくても、直接、電話機間で電話帳データを編集しながら転送登録することができる。また、固定電話機に本発明を適用したとすれば、固定電話機であっても、パソコン等の外部機器を設けることなく、電話機間で電話帳データを編集しながら転送登録することができる。
【００１５】
本発明の電話機は、前記制御手段が、前記電話帳データ転送登録モード中においては前記転送インタフェース手段を通じて前記電話番号データ単位で前記他の電話機からの電話帳データを受信可能とするデータ通信手段と、このデータ通信手段にて受信した電話帳データを電話番号データ単位で表示する表示制御手段と、所定の登録操作に応じて、前記表示中の電話番号データを前記記憶手段に登録する登録制御手段とを有するようにした。
【００１６】
従って、本発明の電話機によれば、電話帳データ転送登録モード中においては転送インタフェース手段を通じて電話番号データ単位で他の電話機からの電話帳データを受信し、この電話帳データを電話番号データ単位で表示し、この表示中の電話番号データを、所定の登録操作に応じて記憶手段に登録するようにしたので、表示内容を確認しながら、電話番号データの登録の可否を選択することで、新たな電話帳データとして編集することができる。
【００１７】
本発明の電話機は、前記制御手段が、前記電話帳データ転送登録モード中に着信を検出すると、この電話帳データ転送登録モードの設定を解除するようにした。
【００１８】
従って、本発明の電話機によれば、電話帳データ転送登録モード中に着信を検出すると、この電話帳データ転送登録モードの設定を解除するようにしたので、電話帳データ転送登録モード中であっても、着信があれば、優先的に着信に応答することができる。
【００１９】
本発明の電話機は、前記制御手段が、前記電話帳データ転送登録モード中で、かつ電話番号データを表示中に、所定の発信操作を検出すると、この電話帳データ転送登録モードの設定を解除し、この表示中の電話番号データに基づく発信動作を実行するようにした。
【００２０】
従って、本発明の電話機によれば、電話帳データ転送登録モード中で電話番号データを表示中に、所定の発信操作を検出すると、この電話帳データ転送登録モードの設定を解除し、この表示中の電話番号データに基づく発信動作を実行するようにしたので、自己の電話機に電話番号データが登録されていなくても、電話帳データを登録することなく、他の電話機の電話帳データを使用して所望の相手先に発信することができる。
【００２１】
本発明の電話機は、転送インタフェース手段が、前記他の電話機とケーブル接続することで、前記電話帳データを相互に転送可能とした。
【００２２】
本発明の電話機は、転送インタフェース手段が、前記他の電話機と無線通信接続することで、前記電話帳データを相互に転送可能とした。
【００２３】
本発明の電話機は、転送インタフェース手段が、前記他の電話機と光通信接続することで、前記電話帳データを相互に転送可能とした。
【００２４】
従って、本発明の電話機によれば、転送インタフェース手段が、ケーブル、無線通信若しくは光通信で他の電話機と通信接続することで、電話帳データを相互に転送可能としたので、電話機間で電話帳データを確実に転送することができる。
【００２５】
本発明の電話機は、名称データ及び、この名称データに対応した電話番号データを含む電話帳データを記憶する記憶手段と、この記憶手段に記憶されている電話帳データに基づいて通話接続する制御手段とを有する電話機であって、他の電話機との間で電話帳データを相互に転送可能とする転送インタフェース手段と、前記他の電話機との間で電話帳データを転送可能とする電話帳データ転送登録モードにするように要求するモード設定要求手段とを有し、前記制御手段は、前記モード設定要求手段からの要求に応じて前記電話帳データ転送登録モードを設定するモード設定手段と、このモード設定手段にて前記電話帳データ転送登録モードに設定すると、前記転送インタフェース手段を起動し、この転送インタフェース手段を通じて得た前記他の電話機からの電話帳データを前記記憶手段に登録可能とし、若しくは、前記記憶手段に記憶されている電話帳データを、前記転送インタフェース手段を通じて前記他の電話機に転送する電話帳送受信手段とを有するようにした。
【００２６】
従って、本発明の電話機によれば、他の電話機との間で電話帳データを相互に転送可能とする転送インタフェース手段と、前記他の電話機との間で電話帳データを転送可能とする電話帳データ転送登録モードにするように要求するモード設定要求手段とを有し、このモード設定要求手段からの要求に応じて前記電話帳データ転送登録モードに設定すると、前記転送インタフェース手段を起動し、この転送インタフェース手段を通じて得た前記他の電話機からの電話帳データを前記記憶手段に登録可能とし、若しくは、前記記憶手段に記憶されている電話帳データを、前記転送インタフェース手段を通じて前記他の電話機に転送するようにしたので、この電話帳データ転送登録モードを使用することで、パソコン等の外部機器を設けなくても、直接、電話機間で電話帳データを編集しながら転送登録することができる。また、固定電話機に本発明を適用したとすれば、固定電話機であっても、パソコン等の外部機器を設けることなく、電話機間で電話帳データを編集しながら転送登録することができる。
【００２７】
【発明の実施の形態】
以下、図面に基づいて本発明の電話機に関わる実施の形態を示す電話帳データ転送登録システムについて説明する。図１は本実施の形態を示す電話帳データ転送登録システムの概略構成を示すブロック図である。
【００２８】
図１に示す電話帳データ転送登録システム１は、公衆回線２に接続する電話機１０、例えば固定電話機１０Ａと、この固定電話機１０Ａとケーブル接続する電話機１０、例えば携帯電話機１０ＢやＰＨＳ１０Ｃとを有し、ケーブル３を通じて、携帯電話機１０Ｂの電話帳データを固定電話機１０Ａに転送登録するものである。
【００２９】
図２は固定電話機１０Ａの盤面を示す説明図である。
【００３０】
図２に示す固定電話機１０Ａは、通話を行うためのハンドセット１１と、様々な情報を画面表示するＬＣＤ等の表示手段１２と、様々な機能コマンドや番号等を選択するダイヤルボタン部１３Ａ及び表示手段１２の表示画面を次ページ又は前ページに切替えるページ切替ボタン１３Ｂで構成する入力手段１３とを有している。
【００３１】
図３は固定電話機１０Ａ内部の概略構成を示すブロック図である。尚、図３に示す固定電話機１０Ａの内部構成は携帯電話機１０ＢやＰＨＳ１０Ｃとほぼ同一であることから、その同一構成については同一符号を付し、その重複する構成及び動作の説明については省略する。
【００３２】
図３に示す固定電話機１０Ａは、表示手段１２及び入力手段１３の他に、通話回線とのインタフェースを司る通話インタフェース手段２１と、この通話インタフェース手段２１での通話を確立する通話回路２２と、他の電話機１０との間で電話帳データを相互に転送可能とする転送インタフェース手段２３と、例えば電話帳データ等の様々なデータを記憶（登録）する記憶手段２４と、この固定電話機１０Ａ全体を制御する制御手段２５とを有している。
【００３３】
図４は記憶手段２４のメモリ内容を端的に示す説明図である。
【００３４】
図４に示す記憶手段２４は、メモリ番号領域２４Ａ毎に、通信相手の電話番号に関わる電話番号データを記憶（登録）する電話番号領域２４Ｂと、通信相手の名称を示す名前に関わる名称データを記憶（登録）する名前領域２４Ｃと、この名前の読み仮名に関わる読み仮名情報を登録した読み仮名領域２４Ｄとを有し、少なくとも名称データ及び電話番号データを含む電話帳データを記憶（登録）するものである。
【００３５】
制御手段２５は、少なくとも２種類の動作モードを有し、通話インタフェース手段２１を使用して、他の電話機１０との通話を実現する通信モードと、転送インタフェース手段２３を使用して、他の電話機１０との電話帳データを転送登録する電話帳データ転送登録モードとを有している。
【００３６】
この電話帳データ転送登録モードは、転送インタフェース手段２３を通じて他の電話機１０からの電話帳データを記憶手段２４に編集登録可能とし、もしくは転送インタフェース手段２３を通じて記憶手段２４に登録済みの電話帳データを他の電話機１０に転送可能とする動作モードである。
【００３７】
制御手段２５は、入力手段１３による電話帳データ転送登録モードの設定要求を検出すると、この電話帳データ転送登録モードを設定するモード設定手段２５Ｄと、このモード設定手段２５Ｄにて電話帳データ転送登録モードを設定すると、転送インタフェース手段２３を起動させ、この転送インタフェース手段２３を通じて電話番号データ単位で他の電話機１０からの電話帳データを受信可能とするデータ通信手段２５Ａと、このデータ通信手段２５Ａにて受信した電話帳データを電話番号データ単位で表示手段１２に表示させる表示制御手段２５Ｂと、入力手段１３からの登録操作に応じて、表示手段１２に表示中の電話番号データを記憶手段２４に選択登録する登録制御手段２５Ｃとを有している。尚、データ通信手段２５Ａは、転送インタフェース手段２３を通じて他の電話機１０との間で電話帳データを転送可能とするものである。
【００３８】
尚、制御手段２５は、電話帳データ転送登録モード中に着信を検出すると、この電話帳データ転送登録モードの設定を解除することで、この着信に応答することができるものとする。
【００３９】
制御手段２５は、電話帳データ転送登録モードで電話番号データを表示手段１２に表示中に、所定の発信操作を検出すると、この電話帳データ転送登録モードの設定を解除し、この表示手段１２に表示中の電話番号データに基づく、通話インタフェース手段２１を通じて発信動作を実行するものである。
【００４０】
図５は本実施の形態に関わる固定電話機１０Ａ及び携帯電話機１０Ｂ間の接続状態を示す説明図である。
【００４１】
図５において固定電話機１０Ａの転送インタフェース手段２３及び携帯電話機１０Ｂの転送インタフェース手段２３は、ケーブル３で有線接続している。この固定電話機１０Ａ及び携帯電話機１０Ｂの転送インタフェース手段２３間は、送信データ及び受信データのデータポートを備えることになる。尚、これら転送インタフェース手段２３は、携帯電話機用の制御信号を送受信可能としている。
【００４２】
図６は本実施の形態に関わる固定電話機１０Ａ及びＰＨＳ１０Ｃ間の接続状態を示す説明図である。
【００４３】
図６において固定電話機１０Ａの転送インタフェース手段２３及びＰＨＳ１０Ｃの転送インタフェース手段２３間は、送信データ及び受信データのデータポートを備え、さらにＰＨＳ用のアダプタ検出信号やＰＳウェークアップ信号を送受信可能としている。
【００４４】
尚、請求項記載のモード設定要求手段は入力手段１３に、電話帳設定手段はデータ通信手段２５Ａ及び登録制御手段２５Ｃに、電話帳送受信手段はデータ通信手段２５Ａ及び登録制御手段２５Ｃに相当するものである。
【００４５】
次に本実施の形態を示す電話帳データ転送登録システム１の動作について説明する。図７は電話帳データ転送登録処理の処理動作に関わる固定電話機１０Ａの操作画面を示す画面遷移図である。
【００４６】
電話帳データ転送登録処理とは、例えば携帯電話機１０Ｂとケーブル接続することで、この携帯電話機１０Ｂに登録済みの電話帳データを編集しながら、このケーブル接続した固定電話機１０Ｂに転送登録することができる処理である。
【００４７】
まず、固定電話機１０Ａの転送インタフェース手段２３と携帯電話機１０Ｂの転送インタフェース手段２３とをケーブル３で有線接続する。
【００４８】
さらに、固定電話機１０Ａは、ダイヤルボタン部１３Ａを通じて、例えば“＃”がダイヤル操作されると、その表示手段１２に図７に示すメニュー画面Ｆ１が表示される。尚、メニュー画面Ｆ１は、ダイヤルボタン部１３Ａを通じて、電話帳機能、発信履歴機能、着信履歴機能、ワンタッチ機能、アラーム機能、設定機能を選択可能としている。
【００４９】
固定電話機１０Ａは、ダイヤルボタン部１３Ａを通じて、メニュー画面Ｆ１から“１”がダイヤル操作されると、電話帳機能に関わる機能画面Ｆ２が表示されることになる。尚、機能画面Ｆ２は、読出検索機能、グループ検索機能、電話帳作成機能、電話帳データ読込み機能（電話帳データ転送登録モードに相当）を選択可能としている。
【００５０】
固定電話機１０Ａは、ダイヤルボタン部１３Ａを通じて、機能画面Ｆ２から“４”がダイヤル操作されると、電話帳データを取得する電話機１０の種別を選択する種別選択画面Ｆ３が表示されることになる。尚、種別選択画面Ｆ３は、固定電話機１０Ａ、携帯電話機１０Ｂ及びＰＨＳ１０Ｃを選択可能としている。
【００５１】
固定電話機１０Ａは、ダイヤルボタン部１３Ａを通じて、種別選択画面Ｆ３から“１”がダイヤル操作されると、電話帳データを取得する電話機１０の種別が携帯電話機１０Ｂと判断し、メモリ番号を指定要求する指定読出要求画面Ｆ４が表示されることになる。尚、指定読出要求画面Ｆ４は、現在の登録数が表示され、メモリ番号が入力できるようになっている。
【００５２】
固定電話機１０Ａは、ダイヤルボタン部１３Ａを通じて、指定読出要求画面Ｆ４にメモリ番号が入力されると、指定読出要求画面Ｆ５に遷移し、このメモリ番号に対応する電話番号データを携帯電話機の電話帳データから検索し、その検索結果画面Ｆ６としての電話番号データが表示されることになる。
【００５３】
固定電話機１０Ａは、次ページのページ切替ボタン１３Ｂが選択操作されると、次のメモリ番号に対応する電話番号データを携帯電話機の電話帳データから検索し、その検索結果画面Ｆ７としての電話番号データが表示されることになる。
【００５４】
さらに固定電話機１０Ａは、所定操作に応じて検索結果画面Ｆ７から登録可否画面Ｆ８が表示されることになる。この登録可否画面Ｆ８は、登録の可否を選択可能としている。
【００５５】
また、固定電話機１０Ａは、ダイヤルボタン部１３Ａを通じて登録可否画面Ｆ８から“１”がダイヤル操作されると、グループ番号を指定するグループ指定画面Ｆ９が表示されることになる。尚、このグループ指定画面Ｆ９は、グループ番号を指定可能としている。
【００５６】
また、固定電話機１０Ａは、ダイヤルボタン部１３Ａを通じてグループ番号が指定されると、この電話番号データを該当グループ番号のメモリ番号に登録すべく、登録中画面Ｆ１０が表示されることになる。
【００５７】
次に電話帳データ転送登録処理に関わる固定電話機１０Ａ側の制御手段２５の処理動作について説明する。図８は電話帳データ転送登録処理に関わる固定電話機１０Ａ側の制御手段２５の処理動作を示すフローチャートである。
【００５８】
図８において制御手段２５は、電話帳データ転送登録モードが設定されたか否かを判定する（ステップＳ１１）。尚、電話帳データ転送登録モードは、入力手段１３を通じて機能画面Ｆ２（図７参照）の電話帳データ読込み機能が選択されることでモード設定手段２５Ｄにて設定され、この電話帳データ転送登録モードが設定されると、転送インタフェース手段２３が起動するものである。この際、固定電話機１０Ａは、電話帳データ取得対象の電話機１０、例えば携帯電話機１０Ｂと転送インタフェース手段２３を通じてケーブル接続している。
【００５９】
制御手段２５は、モード設定手段２５Ｄにて電話帳データ転送登録モードが設定されていると判定されると、ダイヤルボタン部１３Ａを通じて端末種別の選択操作を検出したか否かを判定する（ステップＳ１２）。尚、端末種別の選択操作とは、種別選択画面Ｆ３（図７参照）の端末種別の選択操作に相当するものである。
【００６０】
制御手段２５は、端末種別の選択操作を検出すると、データ取得対象の電話機１０、例えば携帯電話機１０Ｂに対して電話帳データの読出転送を要求する読出要求コマンドを発行し（ステップＳ１４）、この読出要求コマンドを、転送インタフェース手段２３を通じてデータ取得対象の電話機１０に送信することになる。
【００６１】
制御手段２５は、転送インタフェース手段２３を通じて、データ取得対象の電話機１０から読出応答コマンドを受信したか否かを判定する（ステップＳ１５）。尚、読出応答コマンドとは、ステップＳ１４の読出要求コマンドに応答したことを示すデータ取得対象の電話機１０からの応答を示すコマンドに相当するものである。
【００６２】
制御手段２５は、ステップＳ１５にて読出応答コマンドを受信したと判定されると、指定読出要求コマンドの入力操作を検出したか否かを判定する（ステップＳ１６）。尚、この指定読出要求コマンドとは、指定読出要求画面Ｆ５（図７参照）にて読出要求されたメモリ番号の電話番号データをデータ取得対象の電話機１０に読み出させるコマンドである。
【００６３】
制御手段２５は、指定読出要求コマンドの入力操作を検出すると、この指定読出要求コマンドを発行し（ステップＳ１６）、この指定読出要求コマンドを、転送インタフェース手段２３を通じてデータ取得対象の電話機１０に送信することになる。尚、データ取得対象の電話機１０は、指定読出要求コマンドを受信すると、この指定読出要求コマンドに含まれるメモリ番号に対応した電話番号データを記憶手段２４に登録（記憶）済みの電話帳データから検索し、この検索した電話番号データを、転送インタフェース手段２３を通じて固定電話機１０Ａに転送するものである。
【００６４】
制御手段２５のデータ通信手段２５Ａは、転送インタフェース手段２３を通じて、指定読出要求コマンドに対応する電話番号データがデータ取得対象の電話機１０から受信したか否かを判定する（ステップＳ１７）。
【００６５】
制御手段２５の表示制御手段２５Ｂは、指定読出要求コマンドに対応した電話番号データをデータ取得対象の電話機１０から受信すると、この電話番号データを検索結果画面Ｆ６（図７参照）として表示手段１２に表示させる（ステップＳ１８）。
【００６６】
制御手段２５の登録制御手段２５Ｃは、この表示手段１２に表示中の電話番号データを記憶手段２４に登録する登録操作を検出したか否かを判定する（ステップＳ１９）。尚、登録操作は、登録可否画面Ｆ８（図７参照）にて行われるものとする。
【００６７】
登録制御手段２５Ｃは、表示中の電話番号データに対する登録操作を検出すると、この電話番号データを登録するグループ番号を指定する登録グループ選択操作を検出したか否かを判定する（ステップＳ２０）。尚、登録グループ選択操作は、グループ指定画面Ｆ９（図７参照）にて行われるものとする。
【００６８】
登録制御手段２５Ｃは、登録グループ選択操作を検出すると、この登録グループに対応する記憶手段２４のメモリ番号に電話番号データを登録し（ステップＳ２１）、この電話帳データ転送登録モードの解除操作を検出したか否かを判定する（ステップＳ２２）。
【００６９】
制御手段２５は、ステップＳ２２にて電話帳データ転送登録モードの解除操作を検出したのでなければ、新たな指定読出要求コマンドの入力操作を検出したか否かを判断すべく、ステップＳ１５に移行する。
【００７０】
また、登録制御手段２５Ｃは、ステップＳ２０にて登録グループ選択操作を検出したのでなければ、グループに関係のない所定メモリ番号に電話番号データを登録し（ステップＳ２３）、この電話帳データ転送登録モードの解除操作が行われたか否かを判断すべく、ステップＳ２２に移行する。
【００７１】
また、制御手段２５は、ステップＳ１９にて登録操作を検出したのでなければ、新たな指定読出要求コマンドの入力操作を検出したか否かを判定する（ステップＳ２４）。尚、この指定読出要求コマンドは、例えば次ページや前ページ等のページ切替ボタン１３Ｂの入力操作を含むものとする。
【００７２】
制御手段２５は、ステップＳ２４にて新たな指定読出要求コマンドの入力操作を検出すると、この指定要求コマンドを発行すべく、ステップＳ１６に移行する。
【００７３】
制御手段２５は、ステップＳ２４にて新たな指定読出要求コマンドの入力操作を検出したのでなければ、発信操作を検出したか否かを判定する（ステップＳ２５）。
【００７４】
制御手段２５は、ステップＳ２５にて発信操作を検出すると、通信モードに移行すべく、この電話帳データ転送登録モードを解除し、通話インタフェース手段２１を通じて表示手段１２に表示中の電話番号データに基づく発信動作を実行することで（ステップＳ２６）、この処理動作を終了する。
【００７５】
制御手段２５は、ステップＳ２５にて発信操作を検出したのでなければ、登録操作があったか否かを監視すべく、ステップＳ１９に移行する。
【００７６】
図８に示す電話帳データ転送登録処理によれば、データ取得対象の電話機１０に登録済みの電話帳データを電話番号データ単位で転送受信し、この電話番号データを表示手段１２に表示し、この表示を見ながら、所望の電話番号データを自分の固定電話機１０Ａの記憶手段２４に登録するか否かを判断し、その電話帳データを編集登録することができる。
【００７７】
電話帳データ転送登録処理によれば、データ取得対象の電話機１０の電話帳データを電話番号データ単位で表示手段１２に表示中に、その発信操作が行われると、この電話番号データに基づく発信動作を行うようにしたので、自分の固定電話機１０Ａに電話番号データを登録しなくても、表示手段１２に表示中の電話番号データへの発信動作を実現することができる。
【００７８】
本実施の形態によれば、データ取得対象の電話機１０との間で電話帳データを相互に転送可能とする転送インタフェース手段２３と、データ取得対象の電話機１０との間で電話帳データを転送可能とする電話帳データ転送登録モードに設定する操作を実行する入力手段１３とを有し、この入力手段１３の設定操作に応じて電話帳データ転送登録モードを設定すると、転送インタフェース手段１３を起動し、この転送インタフェース手段１３を通じて得た電話機１０からの電話帳データを記憶手段２４に登録可能としたので、この電話帳データ転送登録モードを使用することで、パソコン等の外部機器を設けなくても、直接、電話機１０間で電話帳データを編集しながら転送登録することができる。
【００７９】
また、本実施の形態によれば、電話帳データ転送登録モード中においては転送インタフェース手段２３を通じて電話番号データ単位でデータ取得対象の電話機１０からの電話帳データを受信し、この電話帳データを電話番号データ単位で表示し、この表示中の電話番号データを、所定の登録操作に応じて記憶手段２４に登録するようにしたので、表示内容を確認しながら、電話番号データの登録の可否を選択することで、新たな電話帳データとして編集することができる。
【００８０】
本実施の形態によれば、電話帳データ転送登録モードで電話番号データを表示中に、所定の発信操作を検出すると、この電話帳データ転送登録モードの設定を解除し、この表示中の電話番号データに基づく発信動作を実行するようにしたので、自己の電話機１０に電話番号データが登録されていなくても、電話帳データを登録することなく、データ取得対象の電話機１０の電話帳データを使用して所望の相手先に発信することができる。
【００８１】
また、本実施の形態によれば、電話帳データ転送登録モード中に外部着信があった場合には、その電話帳データ転送登録モードを解除して、その着信に応答できるようにしたので、電話帳データ転送登録モード中であっても、着信があれば、優先的に着信に応答することができる。
【００８２】
尚、上記実施の形態においては、説明の便宜上、固定電話機１０Ａ及び携帯電話機１０Ｂ（ＰＨＳ１０Ｃ）間の電話帳データ転送登録動作について説明したが、固定電話機１０Ａ間、携帯電話機１０Ｂ間、ＰＨＳ１０Ｃ間、若しくは携帯電話機１０Ｂ及びＰＨＳ１０Ｃ間であっても同様の動作で同様の効果が得られることは言うまでもない。
【００８３】
また、上記実施の形態においては、固定電話機１０Ａ及び携帯電話機１０Ｂ間をケーブル３で有線接続するようにしたが、有線接続ではなく、図９に示すような無線通信や、図１０に示すような光通信にしても、同様の効果が得られることは言うまでもない。尚、図９の無線通信の場合、電話機１０は、無線受信部及び無線送信部等の無線通信機能を備えた転送インタフェース手段２３Ａを備え、図１０の光通信の場合、電話機１０は、光受信部及び光送信部等の光通信機能を備えた転送インタフェース手段２３Ｂを備えるものとする。
【００８４】
また、上記実施の形態においては、固定電話機１０Ａを通常の電話機を例にあげて説明したが、近年、電話機能を備えたパソコンもあることから、このような電話機能を備えたパソコンを固定電話機１０Ａとしても同様の効果が得られることは言うまでもなく、その場合、電話機１０間を接続するケーブル３は、例えばＵＳＢケーブルやＲＳＣ２３２Ｃケーブルとしても良い。
【００８５】
また、上記実施の形態においては、図１に示すように固定電話機１０Ａを公衆回線２と直接接続する一般加入者電話機を例にあげて説明したが、固定電話機１０Ａを、図１１に示すように構内交換機５０に収容接続する固定型の内線電話機５０Ａであっても良く、この場合、例えば携帯電話機１０Ｂの電話帳データ内に会社用の電話番号データや個人的な電話番号データが混在していたとしても、本実施の形態に関わる電話帳データ転送登録処理のように電話番号データ単位で登録することができることから、個人的な電話番号データにあっては登録せず、会社用の電話番号データのみを内線電話機５０Ａに登録することもできることから、その使い勝手は非常に良い。
【００８６】
また、上記実施の形態においては、固定電話機１０Ａ間であっても、電話番号データ単位の電話帳データを転送登録できる旨、説明したが、例えば固定電話機１０Ａ間で電話帳データを電話番号データ単位ではなく、電話帳データを一括に転送登録できるようにしても良い。
【００８７】
そこで、このような固定電話機１０Ａ間の電話帳データ一括転送登録処理に関わる動作について説明する。
【００８８】
図１２は固定電話機１０Ａ間の接続状態を示す説明図、図１３は同固定電話機１０Ａ間の電話帳データ一括転送登録処理に関わる各固定電話機１０Ａの動作シーケンスを示すシーケンス説明図、図１４は同電話帳データ一括転送登録処理に関わる固定電話機１０Ａの操作画面を示す操作画面遷移図である。
【００８９】
図１２において固定電話機１０の転送インタフェース手段２３は、送信データ及び受信データのデータポートを備えている。尚、説明の便宜上、電話帳データを転送する側の固定電話機１０Ａを転送側固定電話機６０Ａ、この転送した電話帳データを登録する側の固定電話機１０Ａを受信側固定電話機６０Ｂとする。
【００９０】
まず、受信側固定電話機６０Ｂ及び転送側固定電話機６０Ａの双方の電源をＯＦＦする。
【００９１】
図１２において転送側固定電話機６０Ａは、例えば“６”を押しながら電源をＯＮすることで電話帳データ転送準備モードに設定することになる（ステップＳ３１）。
【００９２】
さらに、受信側固定電話機６０Ｂは、例えば“５”を押しながら電源をＯＮすることで電話帳データ受信準備モードに設定すると（ステップＳ３２）、図１４の電話帳データ受信開始画面Ｆ２１が表示手段１２に表示されることになる（ステップＳ３３）。
【００９３】
受信側固定電話機６０Ｂは、電話帳データ受信開始画面Ｆ２１の電話帳データ転送動作を開始するスタートが選択されると、転送側固定電話機６０Ａから電話帳データの転送を求めるべく、電話帳データ転送要求を転送側固定電話機６０Ａに伝送する（ステップＳ３４）。
【００９４】
転送側固定電話機６０Ａは、電話帳データ転送要求を検出すると、この電話帳データ転送要求に応答し、電話帳データの転送動作を開始すべく、電話帳データ転送応答を受信側固定電話機６０Ｂに伝送する（ステップＳ３５）。
【００９５】
転送側固定電話機６０Ａは、電話帳データ転送応答を発信すると、この記憶手段２４に記憶中の電話帳データを読み出し、この電話帳データを受信側固定電話機６０Ｂに伝送する（ステップＳ３６）。
【００９６】
受信側固定電話機６０Ｂは、転送側固定電話機６０Ａからの電話帳データを受信し、この電話帳データを記憶手段２４に登録していく（ステップＳ３７）。尚、受信側固定電話機６０Ｂの表示手段１２では、電話帳データの受信中であることを示すデータ受信中画面Ｆ２２（図１４参照）が表示されることになる。
【００９７】
転送側固定電話機６０Ａは、電話帳データの転送が終了すると、電話帳データの転送終了画面が表示されることになる（ステップＳ３８）。
【００９８】
また、受信側固定電話機６０Ｂは、受信した電話帳データの登録が完了すると、電話帳データの受信終了画面Ｆ２３（図１４参照）が表示されることになる（ステップＳ３９）。
【００９９】
さらに、転送側固定電話機６０Ａでは、電源をＯＦＦすることで、電話帳データ転送準備モードを解除する（ステップＳ４０）。
【０１００】
また、受信側固定電話機６０Ｂも、電源をＯＦＦすることで、電話帳データ受信準備モードを解除する（ステップＳ４１）。
【０１０１】
受信側固定電話機６０Ｂの記憶手段２４には、転送側固定電話機６０Ａの記憶手段２４に登録済みの電話帳データが登録されたことになる。
【０１０２】
図１３に示す電話帳データ一括転送登録処理によれば、所定操作に応じて固定電話機１０Ａ（６０Ａ，６０Ｂ）を電話帳データ転送準備モード及び電話帳データ受信準備モードに夫々設定し、固定電話機１０Ａ（６０Ａ，６０Ｂ）間で電話帳データを一括転送登録するようにしたので、簡単な操作で固定電話機間の電話帳データを転送登録することができる。
【０１０３】
【発明の効果】
上記のように構成された本発明の電話機によれば、他の電話機との間で電話帳データを相互に転送可能とする転送インタフェース手段と、前記他の電話機との間で電話帳データを転送可能とする電話帳データ転送登録モードにするように要求するモード設定要求手段とを有し、このモード設定要求手段からの要求に応じて前記電話帳データ転送登録モードに設定すると、前記転送インタフェース手段を起動し、この転送インタフェース手段を通じて得た前記他の電話機からの電話帳データを前記記憶手段に登録可能としたので、この電話帳データ転送登録モードを使用することで、パソコン等の外部機器を設けなくても、直接、電話機間で電話帳データを編集しながら転送登録することができる。また、固定電話機に本発明を適用したとすれば、固定電話機であっても、パソコン等の外部機器を設けることなく、電話機間で電話帳データを編集しながら転送登録することができる。
【０１０４】
本発明の電話機によれば、電話帳データ転送登録モード中においては転送インタフェース手段を通じて電話番号データ単位で他の電話機からの電話帳データを受信し、この電話帳データを電話番号データ単位で表示し、この表示中の電話番号データを、所定の登録操作に応じて記憶手段に登録するようにしたので、表示内容を確認しながら、電話番号データの登録の可否を選択することで、新たな電話帳データとして編集することができる。
【０１０５】
本発明の電話機によれば、電話帳データ転送登録モード中に着信を検出すると、この電話帳データ転送登録モードの設定を解除するようにしたので、電話帳データ転送登録モード中であっても、着信があれば、優先的に着信に応答することができる。
【０１０６】
本発明の電話機によれば、電話帳データ転送登録モード中で電話番号データを表示中に、所定の発信操作を検出すると、この電話帳データ転送登録モードの設定を解除し、この表示中の電話番号データに基づく発信動作を実行するようにしたので、自己の電話機に電話番号データが登録されていなくても、電話帳データを登録することなく、他の電話機の電話帳データを使用して所望の相手先に発信することができる。
【０１０７】
本発明の電話機によれば、他の電話機との間で電話帳データを相互に転送可能とする転送インタフェース手段と、前記他の電話機との間で電話帳データを転送可能とする電話帳データ転送登録モードにするように要求するモード設定要求手段とを有し、このモード設定要求手段からの要求に応じて前記電話帳データ転送登録モードに設定すると、前記転送インタフェース手段を起動し、この転送インタフェース手段を通じて得た前記他の電話機からの電話帳データを前記記憶手段に登録可能とし、若しくは、前記記憶手段に記憶されている電話帳データを、前記転送インタフェース手段を通じて前記他の電話機に転送するようにしたので、この電話帳データ転送登録モードを使用することで、パソコン等の外部機器を設けなくても、直接、電話機間で電話帳データを編集しながら転送登録することができる。また、固定電話機に本発明を適用したとすれば、固定電話機であっても、パソコン等の外部機器を設けることなく、電話機間で電話帳データを編集しながら転送登録することができる。
【図面の簡単な説明】
【図１】本発明の電話機に関わる実施の形態を示す電話帳データ転送登録システム内部の概略構成を示すブロック図である。
【図２】本実施の形態に関わる固定電話機の盤面を示す説明図である。
【図３】本実施の形態に関わる固定電話機内部の概略構成を示すブロック図である。
【図４】本実施の形態に関わる電話機内部の記憶手段に記憶したメモリ内容を端的に示す説明図である。
【図５】本実施の形態に関わる固定電話機及び携帯電話機間の接続状態を示す説明図である。
【図６】本実施の形態に関わる固定電話機及びＰＨＳ間の接続状態を示す説明図である。
【図７】本実施の形態の電話帳データ転送登録処理の処理動作に関わる固定電話機の操作画面を示す画面遷移図である。
【図８】本実施の形態の電話帳データ転送登録処理に関わる固定電話機側の制御手段の処理動作を示すフローチャートである。
【図９】他の実施の形態に関わる固定電話機及び携帯電話機間の接続状態（無線通信）を示す説明図である。
【図１０】他の実施の形態に関わる固定電話機及び携帯電話機間の接続状態（光通信）を示す説明図である。
【図１１】他の実施の形態を示す電話帳データ転送登録システム内部の概略構成を示すブロック図である。
【図１２】他の実施の形態を示す電話帳データ転送登録システムに関わる固定電話機間の接続状態を示す説明図である。
【図１３】他の実施の形態の電話帳データ転送登録システムに関わる固定電話機間の電話帳データ一括転送登録処理に関わる固定電話機の動作シーケンスを示すシーケンス説明図である。
【図１４】電話帳データ一括転送登録処理に関わる固定電話機の操作画面を示す操作画面遷移図である。
【符号の説明】
１      電話帳データ転送登録システム
３      ケーブル
１０    電話機
１０Ａ  固定電話機
１０Ｂ  携帯電話機
１０Ｃ  ＰＨＳ
１２    表示手段
２３    転送インタフェース手段
２４    記憶手段
２５    制御手段
２５Ａ  データ通信手段
２５Ｂ  表示制御手段
２５Ｃ  登録制御手段
２５Ｄ  モード設定手段
【図１】
2004180016.tif 000003
【図２】
2004180016.tif 000004
【図３】
2004180016.tif 000005
【図４】
2004180016.tif 000006
【図５】
2004180016.tif 000007
【図６】
2004180016.tif 000008
【図７】
2004180016.tif 000009
【図８】
2004180016.tif 000010
【図９】
2004180016.tif 000011
【図１０】
2004180016.tif 000012
【図１１】
2004180016.tif 000013
【図１２】
2004180016.tif 000014
【図１３】
2004180016.tif 000015
【図１４】
2004180016.tif 000016